(57)【特許請求の範囲】
【請求項１】
ゲートウェイを介して基幹ネットワークに相互接続された互いに異なるシステムの複数のネットワーク（異種ネットワーク）があり、各ネットワークにそれぞれ接続された無線端末は、基幹ネットワークに接続される宛先端末に送信する送信ファイルからそれぞれ同一情報を有するパケットを生成し、各無線端末が所定の順番で当該パケットを送信する無線パケット通信方法において、
前記複数のネットワークのうち第１のネットワークに接続される第１の無線端末は、前記宛先端末に対して前記パケットを送信し、
前記複数のネットワークのうち第２のネットワークに接続される第２の無線端末は、前記第１の無線端末の前記パケットの送信結果を取得し、パケット送信が成功した場合に前記パケットを削除し、パケット送信が失敗した場合に前記宛先端末に対して前記パケットを送信する
ことを特徴とする無線パケット通信方法。
【請求項２】
請求項１に記載の無線パケット通信方法において、
前記基幹ネットワークに管理装置を接続し、
前記第１の無線端末は、前記管理装置を経由して前記宛先端末に対して前記パケットを送信し、
前記管理装置は、前記宛先端末に送信する前記パケットの中継処理を行うとともに、前記パケットの送信が成功した場合にそのパケットに関する情報を登録し、
前記第２の無線端末は、前記宛先端末に送信する前記パケットを生成してから所定時間待機した後に、前記管理装置に対して前記パケットに関する情報の登録状況を問い合わせて前記パケットの送信結果を取得する
ことを特徴とする無線パケット通信方法。
【請求項３】
請求項２に記載の無線パケット通信方法において、
前記第１の無線端末と前記第２の無線端末は、前記宛先端末に送信する送信ファイルからそれぞれパケットを生成するときに、共通のパケット固有番号を生成するか、前記送信ファイルとともに共通のパケット固有番号が与えられ、
前記管理装置は、前記パケットの送信成功の場合に登録するパケットに関する情報として前記パケット固有番号を用い、
前記第２の無線端末は、前記管理装置に登録された前記パケット固有番号と、自端末における前記パケット固有番号との照合により、前記パケットの送信結果を取得する
ことを特徴とする無線パケット通信方法。
【請求項４】
請求項１に記載の無線パケット通信方法において、
前記基幹ネットワークに管理装置を接続し、
前記第１の無線端末は、前記宛先端末に対して前記パケットを送信し、送信成功の場合に送信完了通知パケットを生成し、前記管理装置を経由して前記第２の無線端末に送信し、
前記管理装置は、前記第２の無線端末に送信する前記送信完了通知パケットの中継処理を行い、
前記第２の無線端末は、前記宛先端末に送信する前記パケットを生成してから所定時間以内に前記送信完了通知パケットの受信を確認して前記パケットの送信結果を取得する
ことを特徴とする無線パケット通信方法。
【請求項５】
請求項４に記載の無線パケット通信方法において、
前記第１の無線端末と前記第２の無線端末は、前記宛先端末に送信する送信ファイルからそれぞれパケットを生成するときに、共通のパケット固有番号を生成するか、前記送信ファイルとともに共通のパケット固有番号が与えられ、
前記第１の無線端末は、前記パケットの送信成功の場合に送信する前記送信完了通知パケットに前記パケット固有番号を記載し、
前記第２の無線端末は、前記送信完了通知パケットに記載された前記パケット固有番号と、自端末における前記パケット固有番号との照合により、前記パケットの送信結果を取得する
ことを特徴とする無線パケット通信方法。
【請求項６】
請求項１に記載の無線パケット通信方法において、
前記複数のネットワークにそれぞれ接続される前記無線端末は、前記ネットワークの伝送速度の早い順または通信料金の安い順に、前記第１の無線端末および前記第２の無線端末として前記パケットの送信順位が設定される
ことを特徴とする無線パケット通信方法。
【請求項７】
ゲートウェイを介して基幹ネットワークに相互接続された互いに異なるシステムの複数のネットワーク（異種ネットワーク）があり、各ネットワークにそれぞれ接続された無線端末は、基幹ネットワークに接続される宛先端末に送信する送信ファイルからそれぞれ同一情報を有するパケットを生成し、各無線端末が所定の順番で当該パケットを送信する無線パケット通信システムにおいて、
前記複数のネットワークのうち第１のネットワークに接続される第１の無線端末は、前記宛先端末に対して前記パケットを送信する構成であり、
前記複数のネットワークのうち第２のネットワークに接続される第２の無線端末は、前記第１の無線端末の前記パケットの送信結果を取得し、パケット送信が成功した場合に前記パケットを削除し、パケット送信が失敗した場合に前記宛先端末に対して前記パケットを送信する構成である
ことを特徴とする無線パケット通信システム。
【請求項８】
請求項７に記載の無線パケット通信システムにおいて、
前記基幹ネットワークに管理装置を接続し、
前記第１の無線端末は、前記管理装置を経由して前記宛先端末に対して前記パケットを送信する構成であり、
前記管理装置は、前記宛先端末に送信する前記パケットの中継処理を行うとともに、前記パケットの送信が成功した場合にそのパケットに関する情報を登録する構成であり、
前記第２の無線端末は、前記宛先端末に送信する前記パケットを生成してから所定時間待機した後に、前記管理装置に対して前記パケットに関する情報の登録状況を問い合わせて前記パケットの送信結果を取得する構成である
ことを特徴とする無線パケット通信システム。
【請求項９】
請求項７に記載の無線パケット通信システムにおいて、
前記基幹ネットワークに管理装置を接続し、
前記第１の無線端末は、前記宛先端末に対して前記パケットを送信し、送信成功の場合に送信完了通知パケットを生成し、前記管理装置を経由して前記第２の無線端末に送信する構成であり、
前記管理装置は、前記第２の無線端末に送信する前記送信完了通知パケットの中継処理を行う構成であり、
前記第２の無線端末は、前記宛先端末に送信する前記パケットを生成してから所定時間以内に前記送信完了通知パケットの受信を確認して前記パケットの送信結果を取得する構成である
ことを特徴とする無線パケット通信システム。
【発明の詳細な説明】
【技術分野】
【０００１】
本発明は、複数の無線端末がそれぞれ異なるシステムのネットワーク（異種ネットワーク）に接続され、互いに独立にパケットの送信を行う無線パケット通信方法および無線パケット通信システムに関する。なお、本明細書では、異種ネットワークに接続される無線端末として、移動体通信網に接続される携帯電話端末と、無線ＬＡＮに接続される無線ＬＡＮ端末を例に説明するが、ネットワークの種類および無線端末の種類はそれに限定されるものではない。また、異種ネットワークに接続される無線端末は互いに直接接続はできないが、その上位にある基幹ネットワーク（インターネット）を介してパケットの送受信が可能になっている。
【背景技術】
【０００２】
無線パケット通信は、携帯電話や無線ＬＡＮなどの様々なシステムで採用されている通信形態である。携帯電話の規格は、IMT-2000勧告に基づく3GPPや3GPP2 で制定されている（非特許文献１）。無線ＬＡＮの規格は、IEEE802.11委員会で標準化が進められ、IEEE802.11規格として制定されている（非特許文献２）。
【０００３】
ここで、無線ＬＡＮの利用が普及し、その一方で携帯電話を所有する人が増える状況において、ある送信ファイルをインターネット側に送信する際に、無線ＬＡＮのサービスエリア内では無線ＬＡＮ端末から高速回線を介してパケットを送信し、無線ＬＡＮのサービスエリア外では携帯電話端末から低速回線を介して同一情報を有するパケットを送信するといった、異種ネットワークを補完的に利用して確実にパケット送信を行う利用形態が提案されている。
【非特許文献１】新版  移動無線ハンドブック、オーム社、2000年11月
【非特許文献２】IEEE802.11, "Wireless LAN Medium Access Control (MAC) and Physical (PHY) Layer Specifications", August 1999
【発明の開示】
【発明が解決しようとする課題】
【０００４】
無線ＬＡＮ端末と携帯電話端末を所有するユーザが、送信ファイルを所定の宛先端末に送信しようとする際に、無線ＬＡＮ端末および携帯電話端末がそれぞれ送信ファイルからパケットを生成し、同時または時間差を設けて送信しようとする場合を想定する。ここで、ユーザが無線ＬＡＮのサービスエリア外にいれば、無線ＬＡＮ端末からのパケット送信は失敗し、携帯電話端末のみからパケットが送信され、宛先端末には１つのパケットのみが受信される。しかし、ユーザが無線ＬＡＮのサービスエリア内にいれば、無線ＬＡＮ端末と携帯電話端末の両方から同一情報を有するパケットが送信されることになる。すなわち、１つの送信ファイルから生成された同一情報を有するパケットが重複して送信され、宛先端末に同一情報を有するパケットが重複して受信されることになり、不要なトラヒックが増加する問題がある。
【０００５】
ところが、従来の無線パケット通信システムでは、このような異種ネットワークに接続される複数の無線端末から同一情報を有するパケットが重複送信されることは想定していないため、それを防ぐ機能も設けられていない。
【０００６】
本発明は、異種ネットワークに接続される複数の無線端末から同一情報を有するパケットが重複送信されることを禁止することができる無線パケット通信方法および無線パケット通信システムを提供することを目的とする。
【課題を解決するための手段】
【０００７】
第１の発明は、ゲートウェイを介して基幹ネットワークに相互接続された互いに異なるシステムの複数のネットワーク（異種ネットワーク）があり、各ネットワークにそれぞれ接続された無線端末は、基幹ネットワークに接続される宛先端末に送信する送信ファイルからそれぞれ同一情報を有するパケットを生成し、各無線端末が所定の順番で当該パケットを送信する無線パケット通信方法において、複数のネットワークのうち第１のネットワークに接続される第１の無線端末は、宛先端末に対してパケットを送信し、複数のネットワークのうち第２のネットワークに接続される第２の無線端末は、第１の無線端末のパケットの送信結果を取得し、パケット送信が成功した場合にパケットを削除し、パケット送信が失敗した場合に宛先端末に対して前記パケットを送信する。
【０００８】
ここで、基幹ネットワークに管理装置を接続し、第１の無線端末は、管理装置を経由して宛先端末に対してパケットを送信し、管理装置は、宛先端末に送信するパケットの中継処理を行うとともに、パケットの送信が成功した場合にそのパケットに関する情報を登録し、第２の無線端末は、宛先端末に送信するパケットを生成してから所定時間待機した後に、管理装置に対してパケットに関する情報の登録状況を問い合わせてパケットの送信結果を取得するようにしてもよい。
【０００９】
この場合に、第１の無線端末と第２の無線端末は、宛先端末に送信する送信ファイルからそれぞれパケットを生成するときに、共通のパケット固有番号を生成するか、送信ファイルとともに共通のパケット固有番号が与えられ、管理装置は、パケットの送信成功の場合に登録するパケットに関する情報としてパケット固有番号を用い、第２の無線端末は、管理装置に登録されたパケット固有番号と、自端末におけるパケット固有番号との照合により、パケットの送信結果を取得するようにしてもよい。
【００１０】
また、基幹ネットワークに管理装置を接続し、第１の無線端末は、宛先端末に対してパケットを送信し、送信成功の場合に送信完了通知パケットを生成し、管理装置を経由して第２の無線端末に送信し、管理装置は、第２の無線端末に送信する送信完了通知パケットの中継処理を行い、第２の無線端末は、宛先端末に送信するパケットを生成してから所定時間以内に送信完了通知パケットの受信を確認してパケットの送信結果を取得するようにしてもよい。
【００１１】
この場合に、第１の無線端末と第２の無線端末は、宛先端末に送信する送信ファイルからそれぞれパケットを生成するときに、共通のパケット固有番号を生成するか、送信ファイルとともに共通のパケット固有番号が与えられ、第１の無線端末は、パケットの送信成功の場合に送信する送信完了通知パケットにパケット固有番号を記載し、第２の無線端末は、送信完了通知パケットに記載されたパケット固有番号と、自端末におけるパケット固有番号との照合により、パケットの送信結果を取得するようにしてもよい。
【００１２】
また、複数のネットワークにそれぞれ接続される無線端末は、ネットワークの伝送速度の早い順または通信料金の安い順に、第１の無線端末および第２の無線端末としてパケットの送信順位が設定されるようにする。
【００１３】
第２の発明は、ゲートウェイを介して基幹ネットワークに相互接続された互いに異なるシステムの複数のネットワーク（異種ネットワーク）があり、各ネットワークにそれぞれ接続された無線端末は、基幹ネットワークに接続される宛先端末に送信する送信ファイルからそれぞれ同一情報を有するパケットを生成し、各無線端末が所定の順番で当該パケットを送信する無線パケット通信システムにおいて、複数のネットワークのうち第１のネットワークに接続される第１の無線端末は、宛先端末に対してパケットを送信する構成であり、複数のネットワークのうち第２のネットワークに接続される第２の無線端末は、第１の無線端末のパケットの送信結果を取得し、パケット送信が成功した場合にパケットを削除し、パケット送信が失敗した場合に宛先端末に対して前記パケットを送信する構成である。
【００１４】
ここで、基幹ネットワークに管理装置を接続し、第１の無線端末は、管理装置を経由して宛先端末に対してパケットを送信する構成であり、管理装置は、宛先端末に送信するパケットの中継処理を行うとともに、パケットの送信が成功した場合にそのパケットに関する情報を登録する構成であり、第２の無線端末は、宛先端末に送信するパケットを生成してから所定時間待機した後に、管理装置に対してパケットに関する情報の登録状況を問い合わせてパケットの送信結果を取得する構成としてもよい。
【００１５】
また、基幹ネットワークに管理装置を接続し、第１の無線端末は、宛先端末に対してパケットを送信し、送信成功の場合に送信完了通知パケットを生成し、管理装置を経由して第２の無線端末に送信する構成であり、管理装置は、第２の無線端末に送信する送信完了通知パケットの中継処理を行う構成であり、第２の無線端末は、宛先端末に送信するパケットを生成してから所定時間以内に送信完了通知パケットの受信を確認してパケットの送信結果を取得する構成としてもよい。
【発明の効果】
【００１６】
本発明では、複数の異種ネットワークにそれぞれ接続される複数の無線端末から同一情報を有するパケットを送信する場合に、最初の無線端末からのパケット送信が成功したときに、その送信結果情報を次の無線端末が取得して同一情報を有するパケットの送信を禁止することができる。これにより、異種ネットワークの無線端末間の通信状況を常に把握することなく、同一情報を有するパケットが重複して送信される事態を回避し、不要なトラヒックの増加を回避することができる。また、最初の無線端末からのパケット送信が失敗した場合には、次の無線端末がパケット送信を行うことができるので、同一情報を有するパケットが重複して送信される事態を回避しながら、確実な送信を実現することができる。
【００１７】
さらに、各無線端末の送信する順番として、それぞれ接続されるネットワークの伝送速度の早い順または通信料金の安い順に設定することにより、効率的かつ安価で確実なパケット送信が可能になる。
【発明を実施するための最良の形態】
【００１８】
（無線パケット通信システムの構成例）
図１は、本発明の無線パケット通信システムの構成例を示す。図において、無線端末１１および無線端末１２は、それぞれ異なるシステムのネットワーク（異種ネットワーク）１３，１４に接続される。ここでは、ネットワーク１３および無線端末１１を無線ＬＡＮおよび無線ＬＡＮ端末と想定し、ネットワーク１４および無線端末１２を移動体通信網および携帯電話端末と想定する。各ネットワーク１３，１４は、それぞれゲートウェイ１５，１６を介して基幹ネットワーク１７であるインターネットに接続される。基幹ネットワーク１７には、本発明で使用する管理装置１８および宛先端末１９が接続される。無線端末１１と無線端末１２は、直接には通信ができないが、基幹ネットワーク１７を介して相互に、また管理装置１８あるいは宛先端末１９との間でパケットを送受信できるものとする。なお、ここでは宛先端末１９は基幹ネットワーク１７に接続されるとしたが、基幹ネットワーク１７からさらに他のネットワークを介して接続されるものであってもよい。
【００１９】
（無線パケット通信方法の第１の実施形態）
図２は、本発明の第１の実施形態で用いるパケットの構成例を示す。図３は、本発明の第１の実施形態の送信シーケンス（パターン１）を示す。ここでは、図１に示すシステム構成において、無線端末１１，１２にパケット送信の優先順位を予め決め、優先順位の高い無線端末１１から先にデータパケットを送信するものとする。
【００２０】
まず、無線端末１１，１２は、宛先端末１９に送信するための送信ファイルが入力されたときに、同一の宛先アドレスおよびデータ本体を有するデータパケットａ，ｃを生成し、さらに宛先アドレスや送信ファイルの内容などに応じた所定の計算アルゴリズムに基づいて共通のパケット固有番号を生成する。あるいは、送信ファイルとともに共通のパケット固有番号を外部から与えるようにしてもよい。データパケットａは、図２(1) に示すように、宛先アドレスとして管理装置１８のアドレス、送信元アドレスとして無線端末１１のアドレス、情報部から構成される。情報部は、宛先アドレスとして宛先端末１９のアドレス、パケット固有番号、データ本体から構成される。データパケットｃは、図２(3) に示すように、宛先アドレスとして宛先端末１９のアドレス、送信元アドレスとして無線端末１１のアドレス、データ本体から構成される。
【００２１】
無線端末１１は、管理装置１８を宛先とするデータパケットａを送信する。データパケットａを受信した管理装置１８は、ＡＣＫを無線端末１１に返信するとともに、データパケットａの情報部に設定されている宛先アドレスおよびデータ本体に基づいて、宛先端末１９を宛先とするデータパケットｂを生成して送信する。データパケットｂは、図２(2) に示すように、宛先アドレスとして宛先端末１９のアドレス、送信元アドレスとして管理装置１８のアドレス、データパケットａの情報部にあるデータ本体から構成される。管理装置１８は、データパケットｂを受信した宛先端末１９から返信されたＡＣＫを受信すると、データパケットａの情報部にあるパケット固有番号を登録する。以上により、無線端末１１から宛先端末１９へのパケット送信が完了する。
【００２２】
一方、無線端末１２は、データパケットｃを生成してから所定時間ｔだけ待機し、管理装置１８に対してパケット固有番号の登録確認を行うための送信状況要求信号を送信する。管理装置１８は、この送信状況要求信号に対して登録しているパケット固有番号を含む送信状況応答信号を無線端末１２に送信する。無線端末１２は、送信状況応答信号に含まれるパケット固有番号と、自身がデータパケットｃの生成時に得たパケット固有番号を照合する。そして、パケット固有番号の一致を確認した場合には、データパケットｃと同一のデータ本体を有するデータパケットａがすでに無線端末１１から送信済みであると判断し、データパケットｃを削除して送信処理を終了する。これにより、宛先端末１９に対するデータパケットが重複して送信される事態を回避することができる。
【００２３】
図４は、本発明の第１の実施形態の送信シーケンス（パターン２）を示す。ここでは、無線端末１１から送信されたデータパケットａが管理装置１８に届かなかったり、管理装置１８から送信されたデータパケットｂが宛先端末１９に届かない場合の処理について説明する。
【００２４】
無線端末１１は、管理装置１８を宛先とするデータパケットａを送信する。ここで、無線端末１１は、データパケットａが管理装置１８に正常に受信されなかったためにＡＣＫが返信されない場合に、管理装置１８からのＡＣＫを確認するまでデータパケットａの再送を繰り返す。無線端末１１は、データパケットａの再送を所定回数繰り返すか所定時間経過しても成功しなかった場合には、データパケットａを削除して送信処理を終了する。また、無線端末１１から管理装置１８へのデータパケットａの送信は成功したものの、管理装置１８から宛先端末１９へのデータパケットｂの送信が成功せず、管理装置１８がデータパケットｂの再送を所定回数繰り返すか所定時間経過しても成功しなかった場合には、データパケットｂを削除して送信処理を終了する。以上の２つの場合には、無線端末１１から宛先端末１９へのデータパケットの送信は失敗しており、管理装置１８にデータパケットａのパケット固有番号が登録されることはない。
【００２５】
一方、無線端末１２は、データパケットｃを生成してから所定時間ｔだけ待機し、管理装置１８に対してパケット固有番号の登録確認を行うための送信状況要求信号を送信する。管理装置１８は、送信状況要求信号に対して登録しているパケット固有番号を含む送信状況応答信号を無線端末１２に送信するが、上記の場合には無線端末１１から送信されたデータパケットａに対応するパケット固有番号を登録していないので、そのパケット固有番号は送信状況応答信号に含まれない。無線端末１２は、送信状況応答信号に含まれるパケット固有番号と、自身がデータパケットｃの生成時に得たパケット固有番号を照合する。そして、パケット固有番号の一致を確認できない場合には、データパケットａが無線端末１１から未送信であると判断し、無線端末１２は宛先端末１９を宛先とするデータパケットｃを送信し、宛先端末１９からのＡＣＫを受信して送信処理を終了する。これにより、宛先端末１９に対するデータパケットが重複して送信される事態を回避しながら、確実な送信を実現することができる。
【００２６】
なお、無線端末１２から管理装置１８に送信する送信状況要求信号にデータパケットｃのパケット固有番号を入れ、管理装置１８で登録しているパケット固有番号と照合し、管理装置１８が一致（送信済み）または不一致（未送信）を示す情報を含む送信状況応答信号を送信するようにしてもよい。この場合には、無線端末１２は未送信情報を含む送信状況応答信号を受信した場合にデータパケットｃの送信を行うようにする。
【００２７】
（無線パケット通信方法の第２の実施形態）
図５は、本発明の第２の実施形態で用いるパケットの構成例を示す。図６は、本発明の第２の実施形態の送信シーケンス（パターン１）を示す。ここでは、図１に示すシステム構成において、無線端末１１，１２にパケット送信の優先順位を予め決め、優先順位の高い無線端末１１から先にデータパケットを送信するものとする。
【００２８】
まず、無線端末１１，１２は、宛先端末１９に送信するための送信ファイルが入力されたときに、同一の宛先アドレスおよびデータ本体を有するデータパケットｄ，ｅを生成し、さらに宛先アドレスや送信ファイルの内容などに応じた所定のアルゴリズムに基づいて共通のパケット固有番号を生成する。あるいは、送信ファイルとともに共通のパケット固有番号を外部から与えるようにしてもよい。データパケットｄは、図５(1) に示すように、宛先アドレスとして宛先端末１９のアドレス、送信元アドレスとして無線端末１１のアドレス、データ本体から構成される。データパケットｅは、図５(2) に示すように、宛先アドレスとして宛先端末１９のアドレス、送信元アドレスとして無線端末１２のアドレス、データ本体から構成される。
【００２９】
無線端末１１は、宛先端末１９を宛先とするデータパケットｄを送信する。無線端末１１は、データパケットｄを受信した宛先端末１９から送信されたＡＣＫを受信すると、管理装置１８を宛先とする送信完了通知パケットｆを送信する。送信完了通知パケットｆは、図５(3) に示すように、宛先アドレスとして管理装置１８のアドレス、送信元アドレスとして無線端末１１のアドレス、送信完了通知先アドレスとして無線端末１２のアドレスおよびパケット固有番号から構成される。管理装置１８は送信完了通知パケットｆを受信すると、送信完了通知先アドレスで指定された無線端末１２を宛先として送信完了通知パケットｇを送信する。送信完了通知パケットｇは、図５(4) に示すように、宛先アドレスとして無線端末１２のアドレス、送信元アドレスとして管理装置１８のアドレス、パケット固有番号から構成される。
【００３０】
無線端末１２は、データパケットｅを生成してから所定時間ｔが経過するまでに送信完了通知パケットｇを受信した場合には、送信完了通知パケットｇに含まれるパケット固有番号と、自身がデータパケットｅの生成時に得たパケット固有番号を照合する。そして、パケット固有番号の一致を確認した場合には、データパケットｄがすでに無線端末１１から送信済みであると判断し、自身のデータパケットｅを削除して送信処理を終了する。これにより、無線端末１２は無線端末１１からのデータパケットｄの送信成功を速やかに把握できるとともに、宛先端末１９に対する同一情報を有するパケットが重複して送信される事態を回避することができる。
【００３１】
図７は、本発明の第２の実施形態の送信シーケンス（パターン２）を示す。ここでは、無線端末１１から宛先端末１９へのデータパケットｄの送信が失敗した場合の処理について説明する。
【００３２】
無線端末１１は、宛先端末１９を宛先とするデータパケットｄを送信する。ここで、無線端末１１は、データパケットｄが宛先端末１９に正常に受信されなかったためにＡＣＫが返信されない場合に、宛先端末１９からのＡＣＫを確認するまでデータパケットｄの再送を繰り返す。無線端末１１は、データパケットｄの再送を所定回数繰り返すか所定時間経過しても成功しなかった場合には、データパケットｄを削除して送信処理を終了する。このとき、無線端末１１から管理装置１８に送信完了通知パケットｆが送信されず、さらに管理装置１８から無線端末１２に送信完了通知パケットｇが送信されない。
【００３３】
一方、無線端末１２は、データパケットｅを生成してから所定時間ｔが経過するまでに送信完了通知パケットｇを受信しない場合には、データパケットｄが無線端末１１から未送信であると判断する。そして、無線端末１２は、宛先端末１９を宛先とするデータパケットｅを送信し、宛先端末１９からのＡＣＫを受信して送信処理を終了する。これにより、宛先端末１９に対する同一情報を有するパケットが重複して送信される事態を回避しながら、確実な送信を実現することができる。
【００３４】
以上説明した本発明の無線パケット通信システムの構成例、無線パケット通信方法の第１の実施形態および第２の実施形態は、２つの異種ネットワークにそれぞれ接続される無線端末について説明したが、３以上の異種ネットワークにそれぞれ接続される無線端末がある場合には、上記の第１の無線端末１１と第２の無線端末１２の関係を、第２の無線端末と第３の無線端末との関係に置き換え、以下同様に置き換えて同様の処理を行えばよい。
【図面の簡単な説明】
【００３５】
【図１】本発明の無線パケット通信システムの構成例を示す図。
【図２】本発明の第１の実施形態で用いるパケットの構成例を示す図。
【図３】本発明の第１の実施形態の送信シーケンス（パターン１）を示す図。
【図４】本発明の第１の実施形態の送信シーケンス（パターン２）を示す図。
【図５】本発明の第２の実施形態で用いるパケットの構成例を示す図。
【図６】本発明の第２の実施形態の送信シーケンス（パターン１）を示す図。
【図７】本発明の第２の実施形態の送信シーケンス（パターン２）を示す図。
【符号の説明】
【００３６】
１１  無線端末（無線ＬＡＮ端末）
１２  無線端末（携帯電話端末）
１３  ネットワーク（無線ＬＡＮ）
１４  ネットワーク（移動体通信網）
１５，１６  ゲートウェイ
１７  基幹ネットワーク（インターネット）
１８  管理装置
１９  宛先端末
【図１】
0004541293.tif 000002
【図２】
0004541293.tif 000003
【図３】
0004541293.tif 000004
【図４】
0004541293.tif 000005
【図５】
0004541293.tif 000006
【図６】
0004541293.tif 000007
【図７】
0004541293.tif 000008